(57)【要約】【課題】クリップにおいて、保持力を向上する。【解決手段】対をなすクリップ部材２・３が、軸部材４を介して互いに揺動自在に結合されて、付勢部材５により互いに閉じ方向に付勢されたクリップ１において、対をなすクリップ部材２・３の互いの対向面で先端部から軸部材４の近傍部側までに、物を挟み込む歯２ａ〜２ｆ・３ａ〜３ｆが備えられている。一方のクリップ部材２の先端部から軸部材４の近傍部側までに備えられた歯２ａ〜２ｆは、他方のクリップ部材３の先端部から軸部材４の近傍部側までに備えられた歯３ａ〜３ｆの間の位置に配置されている。【選択図】図１０
2019190525.tif 000002
【特許請求の範囲】
【請求項１】
対をなすクリップ部材が、軸部材を介して互いに揺動自在に結合されて、付勢部材により互いに閉じ方向に付勢されたクリップにおいて、
前記対をなすクリップ部材の互いの対向面で先端部から前記軸部材の近傍部側までに、物を挟み込む歯が備えられていることを特徴とするクリップ。
【請求項２】
前記対をなすクリップ部材の一方のクリップ部材の前記先端部から前記軸部材の近傍部側までに備えられた前記歯は、前記対をなすクリップ部材の他方のクリップ部材の前記先端部から前記軸部材の近傍部側までに備えられた前記歯の間の位置に配置されていることを特徴とする請求項１に記載のクリップ。
【請求項３】
前記歯は、前記クリップ部材の前記先端部から前記軸部材側への中間部まで徐々に高くなるように形成されていることを特徴とする請求項１又は２に記載のクリップ。
【請求項４】
前記クリップ部材の前記軸部材側の歯は、他の歯よりも低く形成されていることを特徴とする請求項１から３のいずれか一項に記載のクリップ。
【請求項５】
前記対をなすクリップ部材の一方のクリップ部材で前記軸部材側の一端部に、クリップの開閉操作の際に指でつまむためのつまみ部を備えることを特徴とする請求項１から４のいずれか一項に記載のクリップ。
【請求項６】
前記つまみ部にストラップ通し穴が形成されていることを特徴とする請求項５に記載のクリップ。
【請求項７】
前記対をなすクリップ部材の一方のクリップ部材は、小型電子機器を装着して保持するケース部品であり、
前記ケース部品及び前記対をなすクリップ部材の他方のクリップ部材には、前記小型電子機器の識別子を露出する貫通穴が形成されていることを特徴とする請求項１から６のいずれか一項に記載のクリップ。
【発明の詳細な説明】
【技術分野】
【０００１】
本発明は、クリップに関する。
【背景技術】
【０００２】
洗濯ばさみ等の一般的なクリップは、その一対のクリップ部材の先端部間だけで物を挟み込む構造をとっている。
そのため、物を挟み込む面積がクリップ部材の先端部間だけと非常に小さいので、保持力は弱い。
【０００３】
特許文献１において、挟み込む物の保持力を向上させるために、物を挟み込む歯を先端部側に設けた一対のクリップ部材を備えるクリップが提案されている。
【先行技術文献】
【特許文献】
【０００４】
【特許文献１】実用新案登録第３０６６０４２号公報
【発明の概要】
【発明が解決しようとする課題】
【０００５】
しかし、特許文献１のクリップは、挟み込む物の保持力を向上させるための歯は、クリップ部材の先端部側にしか設けられておらず、クリップの奥側にける保持力は弱いという課題があった。
【０００６】
本発明の課題は、クリップにおいて、保持力を向上することである。
【課題を解決するための手段】
【０００７】
以上の課題を解決するため、本発明は、
対をなすクリップ部材が、軸部材を介して互いに揺動自在に結合されて、付勢部材により互いに閉じ方向に付勢されたクリップにおいて、
前記対をなすクリップ部材の互いの対向面で先端部から前記軸部材の近傍部側までに、物を挟み込む歯が備えられていることを特徴とする。
【発明の効果】
【０００８】
本発明によれば、クリップにおいて、保持力を向上することができる。
【図面の簡単な説明】
【０００９】
【図１】本発明を適用したクリップの一実施形態の基本構成を示すもので、クリップを閉じた状態の概略斜視図である。
【図２】図１の矢印Ａ−Ａ線に沿った断面図である。
【図３】図１の矢印Ｂ−Ｂ線に沿った断面図である。
【図４】図１のクリップを開いた非ロック状態を示すもので、図３と異なる部分の全体断面図である。
【図５】図４のクリップを閉じる過程での一段階目のロック状態の全体断面図である。
【図６】図５のクリップをさらに閉じた二段階目のロック状態の全体断面図である。
【図７】図１のクリップに小型電子機器を装着した状態を示す概略斜視図である。
【図８】図７の小型電子機器を装着した状態のクリップの平面図である。
【図９】本発明に係る物を挟み込む歯を備えるクリップの図４と同様の全開状態を示す概略側面図である。
【図１０】図９のクリップに物を挟み込んだ図５と同様の状態を示す概略側面図である。
【図１１】図９のクリップの図６と同様の全閉状態を示す概略側面図である。
【図１２】図９のクリップにズボンの布地を挟み込んで人体にクリップを装着した状態を示す概略側面図である。
【図１３】図９の全開状態のクリップの概略斜視図である。
【図１４】図１３のケース部品の歯の配置を示す概略平面図である。
【図１５】図１３の全開状態のクリップの歯の配置部分を側部下方から見た概略斜視図である。
【図１６】図１３の全開状態のクリップの歯の配置部分を先端部下方から見た概略斜視図である。
【発明を実施するための形態】
【００１０】
以下、図を参照して本発明を実施するための形態を詳細に説明する。
（実施形態）
図１から図３は本発明を適用したクリップの一実施形態の概略構成を示すもので、図示のように、クリップ１は、対をなすクリップ部材を構成するケース部品２とクリップ部品３とが、互いの一端部側を軸部材４によって連結されていて、これらケース部品２とクリップ部品３との一端部側間に付勢部材であるねじりコイルバネ５が挟み込まれている。
すなわち、ケース部品２とクリップ部品３は、各々左右一対のボス部２１・３１を貫通する軸部材４により互いに揺動可能に結合されていて、ねじりコイルバネ５により常時閉じる方向に付勢されており、このねじりコイルバネ５のコイル部に軸部材４が通されている。
【００１１】
ケース部品２は、図７及び図８に示すように、小型電子機器であるウェアラブル端末１０の四隅部に接触して内側の爪部２３により保持する端末保持部２２を四隅部に有しており、そのうち一つの端末保持部２２から連続して、ウェアラブル端末１０の一側部を覆うカバー部２４を有している。
【００１２】
また、図１から図３に示したように、クリップ部品３の上面における軸部材４側の一端部に形成した凹段面部３２に、クリップ部品３の軸部材４と反対側の他端部の方向へスライド動作可能なスライド部材であるロック部品６が組み付けられている。
ロック部品６は、クリップ部品３の下面側に突出する左右一対の突片部６１を有し、この突片部６１にクリップ部品３の長さ方向に沿った長穴６２が形成されており、この長穴６２に軸部材４が通されている。
クリップ部品３に対しロック部品６を押し込むことで、ロック部品６がスライド動作する。このロック部品６は、その下面の左右中央に、クリップ部品３の凹段面部３２に接触する一個の係合凸部６３を有している。
【００１３】
そして、図３に示すように、クリップ部品３は、その軸部材４側の一端部の左右中央に、その一端部側から順に離れた三個の第一係合凹部３３、第二係合凹部３４及び第三係合凹部３５を有している。この係合凸部６３及び係合凹部３３・３４・３５はそれぞれＲが付けられており、ロック部品６のスライド移動が可能となっており、ロック部品６をスライド移動することにより、この三個の係合凹部３３・３４・３５の各々に、クリップ部品３の係合凸部６３が順に係合する。
この係合凸部６３及び係合凹部３３・３４・３５により、ロック部品６のスライド移動の過程において、ロック部品６を二つの位置で係合して停止させる段階的係合停止部７が構成されている。
この段階的係合停止部７によって、ロック部品６は、図示のように、クリップ部品３の第一係合凹部３３に係合凸部６３が係合した状態を初期位置として、ロック部品６のスライド移動の過程において、クリップ部品３の第二係合凹部３４及び第三係合凹部３５に対して係合凸部６３が順に二段階で各々係合して、そのスライド位置にそれぞれ停止状態にロックできる。
【００１４】
さらに、図３及び図４に示すように、ケース部品２は、その軸部材４側の一端部の左右に一対の押し上げ用凸部２５を有し、ロック部品６は、ケース部品２の押し上げ用凸部２５にそれぞれ接触して二段階で乗り上がる一対の段階的傾斜状突起６５を有している。
この段階的傾斜状突起６５及び押し上げ用凸部２５により、ねじりコイルバネ５の付勢力に抗して前記二つの位置でクリップ部品３に対しロック部品６をほぼ連続的に乗り上げ動作させる段階的乗り上げ動作部８が構成されている。
【００１５】
すなわち、段階的傾斜状突起６５は、突片部６１との間の空所部６４に、ケース部品２の押し上げ用凸部２５が位置した状態を初期位置として、ロック部品６のスライド移動の過程において、図５に示すように、空所部６４から傾斜面により連続して押し上げ用凸部２５の上に乗り上がる突起６５ａと、図６に示すように、その突起６５ａから僅かな傾斜面により連続して僅かに突出して、押し上げ用凸部２５の上に乗り上がる突起６５ｂとから構成されている。
こうして、ロック部品６の段階的傾斜状突起６５が、ケース部品２の押し上げ用凸部２５に接触して乗り上がることで、ケース部品２に対するクリップ部品３の開き角度をコントロールでき、その開き角度位置にそれぞれ停止状態にロックできる。
【００１６】
さらに、クリップ１をつまみやすくするために、ケース部品２の軸部材４側の一端部中央に突出するつまみ部２７を設けている。このつまみ部２７にストラップ通し穴２８が形成されている。
【００１７】
また、図７及び図８に示すように、小型電子機器であるウェアラブル端末１０の出力情報の識別子である三個のＬＥＤ１１・１２・１３がケース部品２によって隠されるため、ケース部品２とクリップ部品３には、図示のように、各ＬＥＤ１１・１２・１３を外部から視認できる貫通穴２９・３９がそれぞれ形成されている。
すなわち、ケース部品２には、三個のＬＥＤ１１・１２・１３を囲む矩形状の貫通穴２９（図１３から図１６参照）が形成されている。
そして、クリップ部品３には、各ＬＥＤ１１・１２・１３をそれぞれ囲む三個の長穴による貫通穴３９が形成されている。
【００１８】
以上の貫通穴２９・３９により、ケース部品２及びクリップ部品３の存在によってＬＥＤ１１・１２・１３が奥まった位置にあるため、屋外の日光の下でもＬＥＤ１１・１２・１３の発光が見やすくなっている。
すなわち、クリップ部品３に形成された三個の貫通穴３９を見るだけで、ウェアラブル端末１０に備えられた三個のＬＥＤ１１・１２・１３のうち、どのＬＥＤが光っているかを一目で分かる。
【００１９】
図４はクリップ１を開いた非ロック状態を示すもので、クリップ部品３に対し押し込む前の位置にあるロック部品６は、図示のように、突片部６１の長穴６２の図示左端部に軸部材４が接触した状態で、図３に示すように、係合凸部６３がクリップ部品３の第一係合凹部３３に係合した状態にある。
この状態で、ケース部品２のつまみ部２７とロック部品６の突出端部を指でつまんで、ケース部品２に対し、矢印Ｐ１のように、ロック部品６の突出端部を押し下げると、ロック部品６の空所部６４にケース部品２の押し上げ用凸部２５が接触して突き当たった状態になる。
これにより、ケース部品２に対しクリップ部品３が開閉幅０〜開閉幅Ｌ（最大開閉幅）の間で開動作が規制され、そのケース部品２とクリップ部品３との間に衣服の布地を挿入して、つまみ部２７とロック部品６から力を開放すると、矢印Ｄのように、ねじりコイルばね５の付勢力によって、ケース部品２とクリップ部品３の先端部間に、図示しない衣服の布地が挟み込まれて、図７及び図８に示したウェアラブル端末１０を保持したクリップ１が、人体の衣服に装着された状態となる。
【００２０】
図５は図４のクリップ１を閉じる過程での一段階目のロック状態を示すもので、ケース部品２とクリップ部品３との間に物品が存在しない状態では、ケース部品２のつまみ部２７とロック部品６の突出端部を指でつまんで、ケース部品２に対し、矢印Ｐ１のように、ロック部品６の突出端部を押し下げると、ケース部品２に対しクリップ部品３が開閉幅０〜開閉幅Ｓの間で開動作が規制される。図４の開閉幅０〜開閉幅Ｌの開状態で、厚さが開閉幅Ｓより厚く、開閉幅Ｌより薄い衣服の布地Ｃを挿入して、つまみ部２７とロック部品６から力を開放すると、矢印Ｄのように、ねじりコイルばね５の付勢力によって、ケース部品２とクリップ部品３の先端部間に、衣服の布地Ｃが挟み込まれる。衣服の布地Ｃが挟み込まれた状態で、ケース部品２に対し、矢印Ｐ２のように、ロック部品６を押し込むと、ロック部品６は、図示のように、長穴６２の中間部に軸部材４が位置した状態で、係合凸部６３が第二係合凹部３４に係合した状態になる。
そして、空所部６４から傾斜面により連続する段階的傾斜状突起６５の突起６５ａが、押し上げ用凸部２５に乗り上げて接触して突き当たった状態になる。
この状態で、振動等の外部の力により、ケース部品２に対しロック部品６の突出端部に矢印Ｐ１の方向に押し下げられる力が加わったとしても、ケース部品２に対するクリップ部品３の開閉は、開閉幅Ｓで開動作が規制されているため、ケース部品２とクリップ部品３の先端部間に布地Ｃが締め込まれた状態に維持される。
【００２１】
図６は図５のクリップ１をさらに閉じた二段階目のロック状態を示すもので、ケース部品２とクリップ部品３との間に物品が存在しない状態では、ケース部品２のつまみ部２７とロック部品６の突出端部を指でつまんで、ケース部品２に対し、矢印Ｐ１のように、ロック部品６の突出端部を押し下げても、ケース部品２に対するクリップ部品３の開閉幅は０に規制される。図４の開閉幅０〜開閉幅Ｌの開状態で、厚さが開閉幅Ｓより薄い衣服の布地Ｃを挿入して、つまみ部２７とロック部品６から力を開放すると、矢印Ｄのように、ねじりコイルばね５の付勢力によって、ケース部品２とクリップ部品３の先端部間に、衣服の布地Ｃが挟み込まれる。衣服の布地Ｃが挟み込まれた状態で、ケース部品２に対し、矢印Ｐ３のように、ロック部品６をさらに押し込むと、ロック部品６は、図示のように、クリップ部品３の凹段面部３２に突き当たると同時に、長穴６２の図示右端部に軸部材４が接触した状態で、係合凸部６３が第三係合凹部３５に係合した状態になる。
そして、段階的傾斜状突起６５の突起６５ａから僅かな傾斜面により連続して僅かに突出する突起６５ｂが、押し上げ用凸部２５に乗り上げて接触して突き当たった状態になる。
この状態で、振動等の外部の力が加わってケース部品２に対しロック部品６の突出端部に押し下げる力が作用しても、ケース部品２に対しクリップ部品３がこれ以上開くことはなく、矢印Ｄで示したねじりコイルばね５の付勢力によって、図示のように、ケース部品２とクリップ部品３の先端部間に布地Ｃが締め込まれた状態に維持される。
これにより、ウェアラブル端末１０を保持したクリップ１が人体の衣服から抜け落ちるのを確実に防止できる。
【００２２】
以上のとおり、ロック部品６の空所部６４と段階的傾斜状突起６５の突起６５ａ・６５ｂの各つなぎ部は、それぞれ連続する傾斜面となっているため、クリップ部品３に対しロック部品６を押し込むことで、ロック部品３がケース部品２の押し上げ用凸部２５に順次乗り上がって行く。
すなわち、押し上げ用凸部２５に対し、空所部６４から段階的傾斜状突起６５の突起６５ａに乗り上がり、次に、突起６５ａから突起６５ｂの乗り上がって行き、例えば布地Ｃが厚い場合に、その厚い布地Ｃを潰して最適な位置にロックできる等、衣服の布地Ｃの厚さによって最適な箇所でロックをかけることができる。
【００２３】
このように、ロック部品６に、ケース部品２の押し上げ用凸部２５と段階的に連続して接触する段階的傾斜状突起６５（６５ａ・６５ｂ）を付けることによって、衣服の布地Ｃの厚さに即したロックがかけられるため、あらゆる布地Ｃの厚さの衣服に対応でき、すなわち、布地Ｃの厚さに即したロックをかけて、人体の衣服からクリップ１が抜け落ちるのを防ぐことができる。
【００２４】
以上、実施形態のクリップ１は、クリップ部品３の軸部材４側の一端部に、他端部の方向へスライド動作可能で二つの位置で停止可能に組み付けられたロック部品６を備えて、そのロック部品６とケース部品２とが互いに接触して、ロック部品６のスライド動作の過程において、ねじりコイルバネ５の付勢力に抗して二つの位置でクリップ部品３に対しロック部品６をほぼ連続的に乗り上げ動作させる二段の段階的乗り上げ動作部８（押し上げ用凸部２５、凹所部６４及び段階的傾斜状突起６５）を備えている。
すなわち、クリップ部品３のロック部品６を組み付けるだけの少ない部品点数で構造簡単に位置規制が行えて、位置規制部である段階的乗り上げ動作部８（押し上げ用凸部２５、凹所部６４及び段階的傾斜状突起６５）が、クリップ部品３とロック部品６の間に隠されて外部に露出しないので、外観性を良好にすることができる。
【００２５】
しかも、ロック部品６には、当該ロック部品６のスライド動作の過程において、ねじりコイルバネ５の付勢力に抗して二つの位置でケース部品２の押し上げ用凸部２５に対し、当該ロック部品６をほぼ連続的に乗り上げ動作させる凹所部６４及び段階的傾斜状突起６５（６５ａ・６５ｂ）が形成されているので、制限位置での開き量を僅かでも許容して、衣服の布地Ｃの厚さによって最適な箇所でロックをかけることができる。
【００２６】
そして、クリップ部品３とロック部品６とが互いに接触して、ロック部品６のスライド動作の過程において、ロック部品６を二つの位置で係合して停止させる段階的係合停止部７（係合凹部３３・３４・３５及び係合凸部６３）も、ケース部品２とロック部品６の間に隠されて外部に露出しないので、外観性を良好にすることができる。
【００２７】
さらに、ロック部品６には、軸部材４が通される長穴６２を有する突片部６１が形成されているので、クリップ部品３に対するロック部品６のスライド量を規制して、組み付け状態を維持して脱落を防止することができる。
【００２８】
次に、図９は本発明に係る歯を備えるクリップ１の図４と同様の全開状態を示すもので、図示のように、ケース部品２の内側面には、保持力を向上させるため、先端部側から軸部材４の近傍部側まで順に物を挟み込む歯２ａ・２ｂ・２ｃ・２ｄ・２ｅ・２ｆが形成されている。
そして、クリップ部品３の内側面にも、保持力を向上させるため、先端部側から軸部材４の近傍部側まで順に物を挟み込む歯３ａ・３ｂ・３ｃ・３ｄ・３ｅ・３ｆが形成されている。
【００２９】
ただし、軸部材４付近の二個ずつの歯２ｅ・２ｆ・３ｅ・３ｆの高さは、図示のように、クリップ１を全開にしたときに、想定する挟む物の厚さより若干大きな間隔ｔなるように設定する。
つまり、クリップ１の先端部側から四番目の歯２ｄ・３ｄよりも五番目及び六番目の歯２ｅ・２ｆ・３ｅ・３ｆの高さを低くし、ケース部品２の歯２ｅ・２ｆの歯の高さは同等として、クリップ部品３の五番目の歯３ｅの高さよりも六番目の歯３ｆの高さを低くしている。
よって、ユーザーがクリップ１に物を挟む際に、入れ難さを感じることなく、保持力を向上させている。
なお、クリップ１の先端部側から一番目の歯２ａ・３ａから四番目の歯２ｄ・３ｄまで高さが順次高くなっている。
【００３０】
次に、図１０は図９のクリップ１に物を挟み込んだ図５と同様の状態を示すもので、図示のように、歯２ａ〜２ｆ・３ａ〜３ｆの形状は、一般的なわに口クリップの山形の歯を半分にカットした略直角三角形をとなっている。
すなわち、全ての歯２ａ〜２ｆ・３ａ〜３ｆは、軸部材４側が垂直で立ち上がっている形状のため、挟み込んでいる物（布地）Ｃが抜ける方向Ｅに対し垂直面で受ける抵抗力が大きくなって、保持力を向上させている。
【００３１】
次に、図１１は図９のクリップ１の図６と同様の全閉状態を示すもので、図示のように、クリップ１の先端部側から一番目の歯２ａ・３ａから四番目の歯２ｄ・３ｄまでがケース部品２とクリップ部品３に互いに接触している。
【００３２】
次に、図１２は図９のクリップ１にズボンの布地Ｃを挟み込んでクリップ１を人体に装着した状態を示すものである。
ウェアラブル端末１０（図７及び図８参照）をケース部品２に保持したクリップ１は、図示のように、挟み込む物がズボン等のゴムなどの布地Ｃで外部の力Ｆが加わっている場合、挟み込む布地Ｃはケース部品２側に寄るため、ケース部品２側の軸部材４付近の歯２ｅ・２ｆの高さは、低くし過ぎない。
なお、挟み込む布地Ｃが寄るケース部品２側の軸部材４付近の歯２ｅ・２ｆの高さは、挟み込む布地Ｃの厚さの半分以上とする。
【００３３】
次に、図１３は図９の全開状態のクリップ１の概略を示し、図１４から図１６はクリップ１の歯２ａ〜２ｊ・３ａ〜３ｊの配置を示している。
すなわち、ケース部品２の両側の歯２ａ〜２ｆ及びその間の中央に並ぶ歯２ｇ〜２ｊとクリップ部品３の両側の歯３ａ〜３ｆ及びその間の中央に並ぶ歯３ｇ〜３ｊは、図示のように、ケース部品２及びクリップ部品３の長手方向及び幅方向（図１４の矢印Ｙ方向及び矢印Ｘ方向）において、ともに交互に配置している。
このように、ケース部品２の歯２ａ〜２ｊとクリップ部品３の歯３ａ〜３ｊを、ケース部品２及びクリップ部品３の長手方向及び幅方向とも交互に配置することで、挟み込まれる布地Ｃが、クリップ１の長手方向及び幅方向にも蛇行して挟み込まれることで、保持力を向上させている。
【００３４】
以上、実施形態のクリップ１によれば、ケース部品２及びクリップ部品３の互いの対向面で先端部から軸部材４の近傍部側までに、物を挟み込む歯２ａ〜２ｊ・３ａ〜３ｊが備えられているので、構造複雑化及び大型化を招くことなく、物の挟み込みやすさを維持したままで、保持力を向上することができる。
【００３５】
そして、ケース部品２の先端部から軸部材４の近傍部側までに備えられた歯２ａ〜２ｊは、クリップ部品３の先端部から軸部材４の近傍部側までに備えられた歯３ａ〜３ｊの間の位置に配置されているので、そのクリップ１の長手方向及び幅方向とも交互に配置された歯２ａ〜２ｊ・３ａ〜３ｊによって、挟み込まれる布地Ｃを、クリップ１の長手方向及び幅方向にも蛇行して挟み込んで、保持力を向上させることができる。
【００３６】
また、クリップ１の先端部の歯２ａ・３ａから軸部材４側への中間部の歯２ｄ・３ｄまで徐々に高くなるように形成されているので、クリップ１の全閉状態において、先端部の歯２ａ・３ａから軸部材４側への中間部の歯２ｄ・３ｄまでを、ケース部品２とクリップ部品３に互いに接触した状態して、保持力を向上させることができる。
【００３７】
また、軸部材側の歯２ｅ・２ｆ・３ｅ・３ｆは、他の歯よりも低く形成されているので、ユーザーがクリップ１に物を挟む際に、入れ難さを感じることなく、保持力を向上させることができる。
【００３８】
また、ケース部品２の軸部材４側の一端部に、ストラップ通し孔２８を有するつまみ部２７が備えられているため、このつまみ部２７とロック部品６の突出端部を指でつまんで、クリップ１を開閉操作することができる。
このように、ケース部品２のストラップ通し孔２８を有する部分をクリップ１のつまみ部２７として兼用することができる。
【００３９】
また、ケース部品２及びクリップ部品３には、ウェアラブル端末１０に備えられた出力情報の識別子である三個のＬＥＤ１１・１２・１３を各々露出する三個の長穴による貫通穴２９・３９がそれぞれ形成されているので、その三個の貫通穴２９・３９を見るだけで、三個のＬＥＤ１１・１２・１３のうち、どのＬＥＤが光っているかを一目で分かる。
しかも、ケース部品２及びクリップ部品３の存在によって、その各貫通穴２９・３９の奥まった位置にＬＥＤ１１・１２・１３がそれぞれあるため、屋外の日光の下でも各ＬＥＤ１１・１２・１３の発光が見やすくなっている。
【００４０】
（変形例）
以上の実施形態においては、ウェアラブル端末の身体装着用クリップとしたが、本発明はこれに限定されるものではなく、例えば歩数計に装着する等、他の用途のクリップであってもよい。
また、以上の実施形態においては、衣服を挟み込む場合について説明したが、当該クリップが挟み込む物品は、例えば、リュックの肩紐等、他の物品であってもよい。
また、以上の実施形態においては、当該クリップをウェアラブル端末の付属品として別体で構成したが、ウェアラブル端末と一体で構成されたクリップであってもよい。
さらに、実施形態では、一般的なわに口クリップの山形の歯を半分にカットした略直角三角形の歯としたが、歯の形状はこれに限定されるものではなく、他の形状であってもよい。
また、クリップ部材、スライド部材の形状等も任意であり、その他、具体的な細部構造等についても適宜に変更可能であることは勿論である。
【００４１】
以上、本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。
付記に記載した請求項の項番は、この出願の願書に最初に添付した特許請求の範囲の通りである。
〔付記〕
＜請求項１＞
対をなすクリップ部材が、軸部材を介して互いに揺動自在に結合されて、付勢部材により互いに閉じ方向に付勢されたクリップにおいて、
前記対をなすクリップ部材の互いの対向面で先端部から前記軸部材の近傍部側までに、物を挟み込む歯が備えられていることを特徴とするクリップ。
＜請求項２＞
前記対をなすクリップ部材の一方のクリップ部材の前記先端部から前記軸部材の近傍部側までに備えられた前記歯は、前記対をなすクリップ部材の他方のクリップ部材の前記先端部から前記軸部材の近傍部側までに備えられた前記歯の間の位置に配置されていることを特徴とする請求項１に記載のクリップ。
＜請求項３＞
前記歯は、前記クリップ部材の前記先端部から前記軸部材側への中間部まで徐々に高くなるように形成されていることを特徴とする請求項１又は２に記載のクリップ。
＜請求項４＞
前記クリップ部材の前記軸部材側の歯は、他の歯よりも低く形成されていることを特徴とする請求項１から３のいずれか一項に記載のクリップ。
＜請求項５＞
前記対をなすクリップ部材の一方のクリップ部材で前記軸部材側の一端部に、クリップの開閉操作の際に指でつまむためのつまみ部を備えることを特徴とする請求項１から４のいずれか一項に記載のクリップ。
＜請求項６＞
前記つまみ部にストラップ通し穴が形成されていることを特徴とする請求項５に記載のクリップ。
＜請求項７＞
前記対をなすクリップ部材の一方のクリップ部材は、小型電子機器を装着して保持するケース部品であり、
前記ケース部品前記対をなすクリップ部材の他方のクリップ部材には、前記小型電子機器の識別子を露出する貫通穴が形成されていることを特徴とする請求項１から６のいずれか一項に記載のクリップ。
【符号の説明】
【００４２】
１  クリップ
２  クリップ部材（ケース部品）
２ａ〜２ｊ  物を挟み込む歯
２１  ボス部
２２  端末保持部
２３  爪部
２４  カバー部
２５  押し上げ用凸部（段階的乗り上げ動作部）
２７  つまみ部
２８  ストラップ通し穴
２９  貫通穴
３  クリップ部材（クリップ部品）
３ａ〜３ｊ  物を挟み込む歯
３１  ボス部
３２  凹段面部
３３・３４・３５  係合凹部（段階的係合停止部）
３９  貫通穴
４  軸部材
５  付勢部材（ねじりコイルバネ）
６  スライド部材（ロック部品）
６１  突片部
６２  長穴
６３  係合凸部（段階的係合停止部）
６４  凹所部（段階的乗り上げ動作部）
６５  段階的傾斜状突起（段階的乗り上げ動作部）
７  段階的係合停止部
８  段階的乗り上げ動作部
１０  小型電子機器（ウェアラブル端末）
１１・１２・１３  識別子（ＬＥＤ）
Ｃ  布地
【図１】
2019190525.tif 000003
【図２】
2019190525.tif 000004
【図３】
2019190525.tif 000005
【図４】
2019190525.tif 000006
【図５】
2019190525.tif 000007
【図６】
2019190525.tif 000008
【図７】
2019190525.tif 000009
【図８】
2019190525.tif 000010
【図９】
2019190525.tif 000011
【図１０】
2019190525.tif 000012
【図１１】
2019190525.tif 000013
【図１２】
2019190525.tif 000014
【図１３】
2019190525.tif 000015
【図１４】
2019190525.tif 000016
【図１５】
2019190525.tif 000017
【図１６】
2019190525.tif 000018